(57)【要約】【課題】内側収納袋に円滑に液体を注入できると共に、排出も円滑に行なうことができる液体収納容器を提供するものである。【解決手段】口部２にキャップ３を着脱自在に取付ける収納容器１の内側に、軟質プラスチックフィルムで風船状の膨縮自在に形成された内側収納袋４を取付け、この上部にノズル５を取付け、この外径は口部２の内径より小さく形成され、ノズル５の上部に口部２の内径より大きいリング状の係止部６が設けられ、このノズル５と内側収納袋４を口部２から挿着して、口部２とノズル５との間に通気路７を形成すると共に、前記係止部６の側面に前記通気路７と連通する通気口８を開孔し、収納した液体９を排出した後は、ノズル５と一体に内側収納袋４を口部２から引き出せるようにした液体収納容器において、前記内側収納袋４の底面形状を収納容器１の内側底面形状とほぼ同形状に形成したものである。【選択図】  図１
2008213874.tif 000002
【特許請求の範囲】
【請求項１】
口部にキャップを着脱自在に取付ける収納容器の内側に、軟質プラスチックフィルムで風船状の膨縮自在に形成された内側収納袋を取付け、この内側収納袋の上部にノズルを取付け、このノズルの外径は収納容器の口部内径より小さく形成されていると共に、ノズルの上部または中間に容器の口部内径より大きいリング状の係止部が設けられ、このノズルを容器の口部に挿着して、この間に通気路を形成すると共に、前記リング状係止部の側面または容器の口部側面に前記通気路と連通する通気口を開孔し、収納した液体を排出した後は、ノズルと一体に内側収納袋を口部から引き出せるようにした液体収納容器において、前記内側収納袋の底面形状が収納容器の内側底面形状とほぼ同形状に形成されていることを特徴とする液体収納容器。
【請求項２】
ノズルの上部に取付けたリング状係止部の側面または容器の口部側面に開口した通気口が、容器を傾けてノズルから液体を排出する状態で、リング状係止部の少なくとも上部側に形成されていることを特徴とする請求項１記載の液体収納容器。
【請求項３】
収納容器が、透明または半透明のプラスチックまたはガラスで形成され、内側収納袋が、遮光性を有する材料やラミネートフィルム、または着色されたフィルムで形成されていることを特徴とする請求項１記載の液体収納容器。
【発明の詳細な説明】
【技術分野】
【０００１】
本発明は、外側の容器と内側収納袋との二重構造に形成されたリサイクル可能な液体収納容器に関し、液体の注入や排出性を改善したものである。
【背景技術】
【０００２】
包装容器リサイクル法に基づいて、廃プラスチック容器のリサイクルが行なわれている。このリサイクル過程で、飲料水の容器など水洗によって残渣が除去できるものはリサイクルが可能であるが、マヨネーズやケチャップ、サラダ油、ドレッシング類の容器など油脂分や粘着性のある残渣が付着しているものは、リサイクルが不可能である。
【０００３】
また食品残渣の付着した容器に限らず、工業用や薬品などの残渣が容器に付着しているものもリサイクルが不可能である。このように残渣が付着している容器は、収集してきた段階で分別し、現状では埋め立て処分されている。しかしながら容器リサイクル法が施行され、生産者の回収義務が課せられ、その運用も厳しくなって、埋立て処分や焼却処分ができなくなってきた現状において、水洗いによって除去できない残渣が付着した容器を回収する必要性が高まってきた。
【０００４】
このため本発明者は、容器の内側に内側収納袋を取付けて、使用後は空になった内側収納袋を取り出して廃棄し、容器だけをリサイクルできる二重構造の液体収納容器を先に開発した（特許文献１）。
【０００５】
この二重構造の液体収納容器は、例えば図６ないし図１０に示すように、プラスチックで形成された収納容器１の口部２に、図７に示すようにキャップ３を着脱自在に取付け、この収納容器１の内側に、軟質プラスチックフィルムで風船状に膨縮自在に形成された内側収納袋４を取付け、この内側収納袋４の上部にノズル５を取付け、このノズル５の外径は収納容器１の口部２の内径より小さく形成され、上部に収納容器１の口部２の内径より大きいリング状の係止部６が設けられている。このノズル５を収納容器１の口部２に挿着して、この間に通気路７を形成すると共に、前記リング状係止部６の側面に、前記通気路７と連通する通気口８を、収納容器１を傾けて収納した液体９を排出する状態で、リング状係止部６の下部側に開口したものである。
【０００６】
この液体収納容器は、キャップ３を取り外して図６に示すように、先ず内側収納袋４を収縮させた状態で容器１の口部２から内側に挿入し、図８に示すようにノズル５に取付けた係止部６を口部２の上部に係止すると、ノズル５が口部２の内側に支持され、これと口部２の内壁との間に通気路７が形成される。このように容器１に内側収納袋４を設けた二重構造にした状態で、図９に示すようにノズル５から液体９を注入すると、内側収納袋４に注入されて、これが膨らんでくると共に、収納容器１との間の空気１０が通気路７を通って通気口８から外部に排出され、速やかに注入される。
【０００７】
排出する時には、キャップ３を外してから、図１０に示すように収納容器１を傾けて排出すると、上記と逆の作用によって収納した液体９がノズル５から排出される。全部排出して空になったら、係止部６を持ってノズル５を口部２から引き出すと、内側収納袋４が細く絞られながら引き出される。また内側収納袋４を引き出した状態でしごけば収納した液体９をほぼ完全に使用することができる。
【０００８】
液体９が粘性のあるマヨネーズや油、塗料、印刷インク、化学薬品などの場合には、内側収納袋４に残渣が僅かに付着しているが、これはそのまま生活系の燃えるゴミとして一般の生ゴミと一緒に処分することができる。この場合、廃棄量としては従来の１０分の１程度である。また内側収納袋４を引出した後の収納容器１は回収されて、メーカーで再び内側収納袋４を挿着して再利用するか、もしくはプラスチック原料として再利用することができる。このため、残渣が除去できず埋め立てや焼却されていた収納容器１のリサイクルが可能となる。
【０００９】
しかしながら、先に開発した液体収納容器は、内側収納袋４の形状について十分検討されていなかったため、図９に示すように液体９を注入していく過程で、膨らんできた内側収納袋４が収納容器１の内壁に密着し、空気１０が閉じ込められて空気溜り１１が形成され、完全に注入できない問題があった。また図１０に示すように収納容器１を傾けて排出する場合も、内側収納袋４が収納容器１の内壁に密着して空気溜り１１が形成されると共に、通気口８が液体９で塞がれて、十分に空気が流入せず、液体９との交換が速やかに行なわれないため、円滑に排出できない問題が発生した。
【特許文献１】特許第３８１３５５０号
【発明の開示】
【発明が解決しようとする課題】
【００１０】
本発明は上記問題を改善し、内側収納袋に円滑に液体を注入できると共に、排出も円滑に行なうことができる液体収納容器を提供するものである。
【課題を解決するための手段】
【００１１】
本発明の請求項１記載の液体収納容器は、口部にキャップを着脱自在に取付ける収納容器の内側に、軟質プラスチックフィルムで風船状の膨縮自在に形成された内側収納袋を取付け、この内側収納袋の上部にノズルを取付け、このノズルの外径は収納容器の口部内径より小さく形成され手いると共に、ノズルの上部または中間に容器の口部内径より大きいリング状の係止部が設けられ、このノズルを容器の口部に挿着して、この間に通気路を形成すると共に、前記リング状係止部の側面または容器の口部側面に前記通気路と連通する通気口を開孔し、収納した液体を排出した後は、ノズルと一体に内側収納袋を口部から引き出せるようにした液体収納容器において、前記内側収納袋の底面形状が収納容器の内側底面形状とほぼ同形状に形成されていることを特徴とするものである。
【００１２】
本発明の請求項２記載の液体収納容器は、請求項１において、ノズルの上部に取付けたリング状係止部の側面または容器の口部側面に開口した通気口が、容器を傾けてノズルから液体を排出する状態で、リング状係止部の少なくとも上部側に形成されていることを特徴とするものである。
【００１３】
本発明の請求項３記載の液体収納容器は、請求項１において、収納容器が、透明または半透明のプラスチックまたはガラスで形成され、内側収納袋が、遮光性を有する材料やラミネートフィルム、または着色されたフィルムで形成されていることを特徴とするものである。
【発明の効果】
【００１４】
本発明に係る請求項１記載の液体収納容器によれば、ノズルから液体を内側収納袋に注入すると、この内側収納袋の底面形状が収納容器の内側底面形状とほぼ同形状の長方形状に形成されているので、先ず内側収納袋の底部側に広がり、収納容器の底面形状に沿って底面側から順次溜っていき、残留している空気が通気口から排出されて、空気溜りが形成されずに速やかに注入することができる。また液体を排出して空になった時は、内側収納袋を取り出して廃棄し、容器だけをリサイクルすることができる。
【００１５】
また請求項２記載の液体収納容器によれば、収納容器から液体を排出する時に、通気口が収納容器を傾けた状態で、リング状係止部の上部側に形成されているので、流出する液体によって通気口が塞がれることがなく、収納容器の内側上部の空気が流入して、これと入れ替わるように液体が滑らかに排出される。
【００１６】
また請求項３記載の液体収納容器によれば、収納容器が透明または半透明のプラスチックまたはガラスで形成され、内側収納袋が、遮光性を有する材料やラミネートフィルム、または着色されたフィルムで形成されているので、収納した液体の紫外線による劣化を防止することができる。
【発明を実施するための最良の形態】
【００１７】
以下本発明の実施の一形態を図１ないし図５を参照して詳細に説明する。図において１は収納容器を示すもので、これは中空直方体状に硬質のプラスチックで形成され、口部２に図２に示すようにキャップ３が着脱自在に取付けられている。この収納容器１の内側に、軟質プラスチックフィルムで風船状に膨縮自在に形成された内側収納袋４を取付け、この内側収納袋４の上部にノズル５を取付け、このノズル５の外径は収納容器１の口部２の内径より小さく形成され、上部に収納容器１の口部２の内径より大きいリング状の係止部６が設けられ、このノズル５を収納容器１の口部２に挿着して、この間に通気路７を形成すると共に、前記リング状係止部６の側面に前記通気路７と連通する通気口８を開口したものである。
【００１８】
前記内側収納袋４は図１に示すように、軟質のプラスチックで中空直方体状に形成され、その底面形状が収納容器１の内側底面形状とほぼ同形状の長方形状に形成されている。またノズル５の長さは図２に示すように、収納容器１の口部２の下の肩部より下まで長く形成されている。またノズル５と内側収納袋４の接続部分は、内側収納袋４の上部に形成された円形の開口部を折り返して二重にした状態で熱融着して接合されている。またノズル５の上部に取付けたリング状係止部６の側面には、図３に示すように３個の通気口８が、収納容器１を傾けてノズル５から収納した液体９を排出する状態で、リング状係止部６の上部側に放射状に形成されている。
【００１９】
上記構成の液体収納容器は、図４に示すようにキャップ３を取り外し、先ず内側収納袋４を収縮させた状態で容器１の口部２から内側に挿入し、ノズル５に取付けた係止部６を口部２の上部に係止させる。このように二重構造に形成した状態でノズル５から液体９を内側収納袋４に注入すると図１に示すように、この内側収納袋４の底面形状が収納容器１の内側底面形状とほぼ同形状の長方形状に形成されているので、先ず内側収納袋４の底部側に広がり、収納容器１の底面形状に沿って底面側から順次溜っていき、残留している空気１０が通気口８から排出されて、空気溜り１１が形成されずに速やかに注入することができる。
【００２０】
また図５に示すように収納容器１から液体９を排出する時も、３個の通気口８が収納容器１を傾けた状態で、リング状係止部６の上部側に放射状に形成されているので、流出する液体９によって通気口８が塞がれることがなく、収納容器１の内側上部の空気１０が流入して、これと入れ替わるように収納した液体９が滑らかに排出される。
【００２１】
このため、従来の容器のようにボコボコと音を立てながら液体９と空気１０が交互に出入りして液体９が間欠的に排出されて飛び跳ねることがないので、揚げ物を揚げている時に、鍋の中の高温の油に、注ぎ足すような場合でも、跳ねずに滑らかに排出されて安全である。また消毒液や強酸などの薬剤の入った収納容器１から、小さな容器に注入する場合も、液体９が跳ねずに滑らかに排出されるので、安全で作業が容易である。
【００２２】
従って液体９が粘性のある油、塗料、印刷インク、接着剤、コーキング剤など工業用や化学用、あるいは薬品などの収納容器として特に好適であり、残渣の付着した内側収納袋４だけを引き出して廃棄すれば、収納容器１はそのまま他の液体９の容器として再利用することができる。
【００２３】
またマヨネーズの容器やケチャップなどの、軟質の容器から絞り出して使用する調味料の収納容器１の場合には、これを手でつかんで絞ると、内側収納袋４との間の空気１０の圧縮によるポンプ作用により、速やかに排出することができる。また容器から絞り出して使用するものに限らず、ドレッシングやサラダ油などの調味料や、液体洗剤、シャンプー、リンスなどにも適用することができる。
【００２４】
また上記説明では収納容器としてプラスチックの場合について示したが、エンジンオイルや、グリース、潤滑油などの自動車用や工業用油の場合には金属製のものでも良く、またドレッシングなどの場合にはガラス製の収納容器にも適用することができる。
【００２５】
特に金属製の収納容器に収納されている自動車用や工業用油の場合には、従来はドライバーなどで上部に通気口を開けてから使用していたが、本発明ではリング状係止部６に形成した通気口８から内部に空気を取入れるので、使用する時に通気口を開口する必要がない。同様に灯油を入れる従来のポリタンクも排出口とは別にキャップを取付けた通気口が設けられているが、本発明の内側収納袋４を挿着した二重構造とすることにより、口部２と別個に通気口やキャップを設ける必要がなく、多くの液体に共通して同形状の収納容器を共通して使用することができる。
【００２６】
なおこの場合、収納容器１を透明または半透明のプラスチックで形成し、軟質プラスチックフィルムで形成された内側収納袋４を赤色に着色したものを用いれば、灯油として識別することができると共に、紫外線の影響を少なくすることができる。また液体９が紫外線により劣化する物質の場合には、紫外線を遮断する遮光性を有する材料や黒色に着色したものを用いれば良い。また内側収納袋４は軟質プラスチックフィルムにアルミニウム箔など、異なるフィルムを複合したラミネートフィルムを用いても良く、また酸素を通さないフィルムをラミネートしたものでも良い。
【００２７】
なお上記説明では、中空直方体状の収納容器１の場合について説明したが、中空円筒状の場合には、内側収納袋の底面形状を収納容器の底面形状に合わせて円形状に形成し、マヨネーズ容器の場合には楕円形状に形成すれば良い。なお、内側収納袋の上部形状は、収納容器１と同形状でなくても円滑に注入、排出することができる。また通気路７をリング状係止部６の側面に形成した場合について示したが、口部２の側面に形成したものでも良い。
【図面の簡単な説明】
【００２８】
【図１】本発明の実施の一形態による液体を注入している状態を示す液体収納容器の斜視図である。
【図２】図１の口部を拡大して示す断面図である。
【図３】図２のリング状係止部を取付けたノズルを示す斜視図である。
【図４】図２のキャップを取外した口部を拡大して示す断面図である。
【図５】液体収納容器を傾けて液体を排出している状態を示す断面図である。
【図６】従来の液体収納容器に内側収納袋を挿入した状態を示す断面図である。
【図７】従来の液体収納容器の口部を拡大して示す断面図である。
【図８】図７のキャップを取外した口部を拡大して示す断面図である。
【図９】図６の液体収納容器に液体を注入している状態を示す断面図である。
【図１０】液体収納容器を傾けて液体を排出している状態を示す断面図である。
【符号の説明】
【００２９】
１    収納容器                                              
２    口部                                                  
３    キャップ                                              
４    内側収納袋                                            
５    ノズル                                                
６    リング状係止部                                        
７    通気路                                                
８    通気口                                                
９    液体                                                  
１０  空気                                                  
１１  空気溜り  
【図１】
2008213874.tif 000003
【図２】
2008213874.tif 000004
【図３】
2008213874.tif 000005
【図４】
2008213874.tif 000006
【図５】
2008213874.tif 000007
【図６】
2008213874.tif 000008
【図７】
2008213874.tif 000009
【図８】
2008213874.tif 000010
【図９】
2008213874.tif 000011
【図１０】
2008213874.tif 000012